(57)【要約】      （修正有）【課題】ユーザが直感的にその挿入方向を認識することができると共に、視力の弱いユーザ等であってもローダーの挿入スロットに挿入しやすいカートリッジ型リムーバブルハードディスク装置を提供する。【解決手段】本カートリッジ型リムーバブルハードディスク装置１００は、ハードディスク本体、コネクタ１１０及び外装ケース１２０を備える。コネクタは、ハードディスク本体を情報機器に接続するために配設される。外装ケースは、コネクタの一部を露出するための開口ＯＰを前面Ｐｆに有する。そして、この外装ケースには、ハードディスク本体およびコネクタが収容される。また、この外装ケースは、第１面Ｐｉを有する。第１面は、天面Ｐｔの幅方向に沿った前面側の辺の少なくとも両端部から前面に向かうに従って底面に近づき、前面の上辺まで延びている。【選択図】図１
0003159998.tif 000002
【実用新案登録請求の範囲】
【請求項１】
ハードディスク本体と、
前記ハードディスク本体を情報機器に接続するために配設されるコネクタと、
前記コネクタの一部を露出するための開口を前面に有し、前記ハードディスク本体および前記コネクタを収容する外装ケースと
を備え、
前記外装ケースは、天面の幅方向に沿った前面側の辺の少なくとも両端部から前記前面に向かうに従って底面に近づき、前記前面の上辺まで延びる第１面を有する
カートリッジ型リムーバブルハードディスク装置。
【請求項２】
前記第１面は、前記天面の幅方向に沿った前記前面側の辺から前記前面に向かうに従って底面に向かって傾斜する傾斜面である
請求項２に記載のカートリッジ型リムーバブルハードディスク装置。
【考案の詳細な説明】
【技術分野】
【０００１】
本考案は、カートリッジ型リムーバブルハードディスク装置、特に、ｉＶＤＲ（登録商標）規格に準拠するカートリッジ型リムーバブルハードディスク装置に関する。
【背景技術】
【０００２】
現在、リムーバブルハードディスク装置（可搬型記録装置）規格の一つとして「ｉＶＤＲ（登録商標）」と称される規格が国際標準規格として承認されている（例えば、特開２００７−１５７２２７号公報等参照）。この規格では、カートリッジ型リムーバブルハードディスク装置に関し、耐久性や格納データフォーマット、ファイル形式の他、その外形寸法や筐体構造、コネクタ仕様などが規定されている。
【先行技術文献】
【特許文献】
【０００３】
【特許文献１】特開２００７−１５７２２７号公報
【考案の概要】
【考案が解決しようとする課題】
【０００４】
ところで、このようなカートリッジ型リムーバブルハードディスク装置は、特開２００７−１５７２２７号公報の図２や図３に示されるように、その外装ケースの形状が略直方体形状とされている。つまり、カートリッジ型リムーバブルハードディスク装置を、ローダーの挿入スロットへの挿入方向に直交する面で切ったときの断面形状が全長に亘って、ローダーの挿入スロットの開口形状とほぼ一致する。このため、視力の弱いユーザ等は、カートリッジ型リムーバブルハードディスク装置をローダーの挿入スロットへ挿入するのに困難を伴う。
また、その外装ケースにはローダーの挿入スロットへの挿入方向を示す三角印が表示されているが、ユーザが直観的にその挿入方向を認識するのはやや難しい。
【０００５】
本考案の課題は、ユーザが直感的にその挿入方向を認識することができると共に、視力の弱いユーザ等であってもローダーの挿入スロットに挿入しやすいカートリッジ型リムーバブルハードディスク装置を提供することにある。
【課題を解決するための手段】
【０００６】
（１）
本考案の一局面に係るカートリッジ型リムーバブルハードディスク装置は、ハードディスク本体、コネクタ及び外装ケースを備える。コネクタは、ハードディスク本体を情報機器に接続するために配設される。なお、ここにいう「情報機器」とは、例えば、パーソナルコンピュータや、デジタルテレビ、カーナビゲーションシステム等である。外装ケースは、コネクタの一部を露出するための開口を前面に有する。そして、この外装ケースには、ハードディスク本体およびコネクタが収容される。また、この外装ケースは、第１面を有する。第１面は、天面の幅方向に沿った前面側の辺の少なくとも両端部から前面に向かうに従って底面に近づき、前面の上辺まで延びている。
【０００７】
このカートリッジ型リムーバブルハードディスク装置では、外装ケースは、コネクタ配設側に第１面を有する。このため、ユーザは直感的にカートリッジ型リムーバブルハードディスク装置の挿入方向を認識することができると共に、視力の弱いユーザ等であってもカートリッジ型リムーバブルハードディスク装置をローダーの挿入スロットに挿入しやすい。
【０００８】
（２）
上記（１）に係るカートリッジ型リムーバブルハードディスク装置において、第１面は、天面の幅方向に沿った前面側の辺から前面に向かうに従って底面に向かって傾斜する傾斜面であるのが好ましい。
【０００９】
このようにすれば、外装ケースをシンプルな形状としたまま、カートリッジ型リムーバブルハードディスク装置をローダーの挿入スロットにさらに挿入しやすくすることができる。
【図面の簡単な説明】
【００１０】
【図１】本考案の一実施の形態に係るカートリッジ型リムーバブルハードディスク装置の天面側の斜視図である。
【図２】本考案の一実施の形態に係るカートリッジ型リムーバブルハードディスク装置の背面側の斜視図である。
【図３】本考案の一実施の形態に係るカートリッジ型リムーバブルハードディスク装置の正面図である。
【図４】本考案の一実施の形態に係るカートリッジ型リムーバブルハードディスク装置の平面図である。
【図５】本考案の一実施の形態に係るカートリッジ型リムーバブルハードディスク装置の左側面図である。
【図６】本考案の一実施の形態に係るカートリッジ型リムーバブルハードディスク装置の右側面図である。
【図７】本考案の一実施の形態に係るカートリッジ型リムーバブルハードディスク装置の背面図である。
【図８】本考案の一実施の形態に係るカートリッジ型リムーバブルハードディスク装置の底面図である。
【図９】変形例（Ａ）に係るカートリッジ型リムーバブルハードディスク装置の左側面図である。
【図１０】変形例（Ｂ）に係るカートリッジ型リムーバブルハードディスク装置の左側面図である。
【図１１】変形例（Ｃ）に係るカートリッジ型リムーバブルハードディスク装置の左側面図である。
【図１２】変形例（Ｄ）に係るカートリッジ型リムーバブルハードディスク装置の斜視図である。
【考案を実施するための形態】
【００１１】
本考案の実施の形態に係るカートリッジ型リムーバブルハードディスク装置１００は、ｉＶＤＲ（登録商標）規格に準拠するカートリッジ型リムーバブルハードディスク装置であって、主に、図１および図２に示されるように、ハードディスク本体（図示せず）、コネクタ１１０および外装ケース１２０から構成される。以下、ハードディスク本体、コネクタ１１０および外装ケース１２０についてそれぞれ詳述する。
【００１２】
＜カートリッジ型リムーバブルハードディスク装置の構成部品＞
【００１３】
（１）ハードディスク本体
ハードディスク本体は、従前から存在するハードディスクである。なお、ｉＶＤＲ（登録商標）規格では、主に、１．８型および２．５型のハードディスクが採用されている。
【００１４】
（２）コネクタ
コネクタ１１０は、ｉＶＤＲ（登録商標）ローダーに設けられた接続端子との接続部分である。
【００１５】
（３）外装ケース
外装ケース１２０は、図１から図８に示されるように、主に、本体部１３０およびガイド溝形成部１４０から構成されている。以下、本体部１３０およびガイド溝形成部１４０についてそれぞれ詳述する。
【００１６】
なお、ｉＶＤＲ（登録商標）規格では、１．８型ハードディスク搭載のｉＶＤＲ（登録商標）  Ｍｉｎｉ用の外装ケースの寸法が幅８０ｍｍ、高さ１０ｍｍ、奥行き６７ｍｍと規定されており、２．５型ハードディスク搭載のｉＶＤＲ（登録商標）（Ｓｔａｎｄａｒｄ）用の外装ケースの寸法が幅８０ｍｍ、高さ１２．７ｍｍ、奥行き１１０ｍｍと規定されている。
【００１７】
（３−１）本体部
本体部１３０は、略直方体形状の箱体であって、図１から図８に示されるように、主に、前壁部１３１、天壁部１３２、右側壁部１３３、左側壁部１３４、背壁部１３５、底壁部１３６および傾斜壁部１３７から形成されている。そして、これらの壁部１３１〜１３７には、図１から図８に示されるように、それぞれ、前面Ｐｆ、天面Ｐｔ、右側面Ｐｓｒ、左側面Ｐｓｌ、背面Ｐｒ、底面Ｐｂおよび傾斜面Ｐｉが存在する。
【００１８】
前壁部１３１は、図３に示されるように、略矩形の板状部である。そして、この前壁部１３１には、コネクタ１１０の接続端子（図示せず）を露出させるために矩形の開口ＯＰが形成されている。
【００１９】
天壁部１３２は、図４に示されるように、略矩形の板状部である。そして、この天壁部１３２には、ラベル貼付領域ＬＢおよび挿入方向表示部ＩＧが形成されている。ラベル貼付領域ＬＢは、図１や図４に示されるように、天壁部１３２の背面側に形成される略矩形の凹部である。なお、このラベル貼付領域ＬＢには、ラベル（図示せず）の一部が貼付されることになる。また、挿入方向表示部ＩＧは、図１や図４に示されるように、天壁部の１３２の前面側かつ右側面側に形成される三角形状の凹部である。そして、この挿入方向表示部ＩＧは、ローダーの挿入スロットへの挿入方向を示している。
【００２０】
右側壁部１３３及び左側壁部１３４は、図１〜８に示されるように、略矩形の板状部である。そして、この右側壁部１３３及び左側壁部１３４には、図１〜８に示されるように、底面側にガイド溝形成部１４０が設けられている。なお、このガイド溝形成部１４０の詳細については後述する。
【００２１】
背壁部１３５は、図７に示されるように、略矩形の板状部である。そして、この背壁部１３５には、天壁部１３２と同様に、ラベル貼付領域ＬＢが形成されている。ラベル貼付領域ＬＢは、図２や図７に示されるように、背壁部１３５の天面側に形成される略矩形の凹部である。なお、この背壁部１３５のラベル貼付領域ＬＢは、天壁部１３２のラベル貼付領域ＬＢと連続して形成されている。なお、このラベル貼付領域ＬＢには、天壁部１３２のラベル貼付領域ＬＢからはみ出たラベル部分（図示せず）が貼付されることになる。
【００２２】
底壁部１３６は、図２や図８に示されるように、略矩形の板状部である。
【００２３】
傾斜壁部１３７は、前壁部１３１と天壁部１３２との間に存在する略矩形の板状部であって、天壁部１３２の前面側の端から前面Ｐｆに向かうに従って底面Ｐｂに向かって傾斜し、前壁部１３１の上端まで延びている。
【００２４】
（３−２）ガイド溝形成部
ガイド溝形成部１４０は、図１〜図８に示されるように、一対の平行に配置される柱状部であって、右側壁部１３３および左側壁部１３４それぞれの底面側に設けられている。そして、一対の柱状部の間の空間がガイド溝ＧＤとして機能することになる。このガイド溝ＧＤは、ローダーのガイドに嵌り込み、コネクタ１１０をローダー側のコネクタ（図示せず）まで導く役目を担っている。
【００２５】
＜本考案の実施の形態に係るカートリッジ型リムーバブルハードディスク装置の特徴＞
本実施の形態に係るカートリッジ型リムーバブルハードディスク装置１００では、図１に示されるように、外装ケース１２０のコネクタ側部分に傾斜面Ｐｉが形成されており、その結果、この外装ケース１２０の前面Ｐｆの高さがローダーの挿入スロットの開口の高さよりも十分に低くなっている。このため、ユーザは直感的にカートリッジ型リムーバブルハードディスク装置の挿入方向を認識することができると共に、視力の弱いユーザ等であってもカートリッジ型リムーバブルハードディスク装置をローダーの挿入スロットに挿入しやすい。
【００２６】
＜変形例＞
【００２７】
（Ａ）
先の実施の形態では図１〜８に示されるようなカートリッジ型リムーバブルハードディスク装置１００が紹介されたが、本考案に係るカートリッジ型リムーバブルハードディスク装置は、このようなカートリッジ型リムーバブルハードディスク装置１００に限定されず、例えば、図９に示されるようなカートリッジ型リムーバブルハードディスク装置１００Ａであってもよい。
【００２８】
なお、カートリッジ型リムーバブルハードディスク装置１００Ａは、外装ケース以外は全て先の実施の形態に係るカートリッジ型リムーバブルハードディスク装置１００と同一である。
【００２９】
また、本変形例に係る外装ケース１２０Ａは、傾斜壁部１３７が段形状壁部１３７ａ（図９参照）となっていること以外は全て先の実施の形態に係る外装ケース１２０と同一である。
【００３０】
（Ｂ）
先の実施の形態では図１〜８に示されるようなカートリッジ型リムーバブルハードディスク装置１００が紹介されたが、本考案に係るカートリッジ型リムーバブルハードディスク装置は、このようなカートリッジ型リムーバブルハードディスク装置１００に限定されず、例えば、図１０に示されるようなカートリッジ型リムーバブルハードディスク装置１００Ｂであってもよい。
【００３１】
なお、カートリッジ型リムーバブルハードディスク装置１００Ｂは、外装ケース以外は全て先の実施の形態に係るカートリッジ型リムーバブルハードディスク装置１００と同一である。
【００３２】
また、本変形例に係る外装ケース１２０Ｂは、傾斜壁部１３７が凹曲形状壁部１３７ｂ（図１０参照）となっていること以外は全て先の実施の形態に係る外装ケース１２０と同一である。
【００３３】
（Ｃ）
先の実施の形態では図１〜８に示されるようなカートリッジ型リムーバブルハードディスク装置１００が紹介されたが、本考案に係るカートリッジ型リムーバブルハードディスク装置は、このようなカートリッジ型リムーバブルハードディスク装置１００に限定されず、例えば、図１１に示されるようなカートリッジ型リムーバブルハードディスク装置１００Ｃであってもよい。
【００３４】
なお、カートリッジ型リムーバブルハードディスク装置１００Ｃは、外装ケース以外は全て先の実施の形態に係るカートリッジ型リムーバブルハードディスク装置１００と同一である。
【００３５】
また、本変形例に係る外装ケース１２０Ｃは、傾斜壁部１３７が凸曲形状壁部１３７ｃ（図１１参照）となっていること以外は全て先の実施の形態に係る外装ケース１２０と同一である。
【００３６】
（Ｄ）
先の実施の形態では図１〜８に示されるようなカートリッジ型リムーバブルハードディスク装置１００が紹介されたが、本考案に係るカートリッジ型リムーバブルハードディスク装置は、このようなカートリッジ型リムーバブルハードディスク装置１００に限定されず、例えば、図１２に示されるようなカートリッジ型リムーバブルハードディスク装置１００Ｄであってもよい。
【００３７】
なお、カートリッジ型リムーバブルハードディスク装置１００Ｄは、外装ケース以外は全て先の実施の形態に係るカートリッジ型リムーバブルハードディスク装置１００と同一である。
【００３８】
また、本変形例に係る外装ケース１２０Ｄは、傾斜壁部１３７が部分傾斜壁部１３７ｄ（図１２参照）となっていること以外は全て先の実施の形態に係る外装ケース１２０と同一である。
【００３９】
（Ｅ）
先の実施の形態に係るカートリッジ型リムーバブルハードディスク装置１００では、コネクタ配設側に傾斜面Ｐｉが設けられたが、さらに、側面Ｐｓｌ，Ｐｓｒの高さ方向に沿った前面側の辺から前面に向かうに従ってコネクタ１１０に近づき、前面Ｐｆの側辺まで延びる面が設けられてもかまわない。かかる場合、コネクタ側部分の幅が前面Ｐｆに向かうに従って次第に狭くなる形状となる。このようにすれば、ローダーの挿入スロットへのカートリッジ型リムーバブルハードディスク装置１００の挿入をさらに良好にすることができる。
【符号の説明】
【００４０】
１００，１００Ａ，１００Ｂ，１００Ｃ，１００Ｄ      カートリッジ型リムーバブルハードディスク装置
１１０      コネクタ
１２０，１２０Ａ，１２０Ｂ，１２０Ｃ，１２０Ｄ      外装ケース
１３０      本体部
１３１      前壁部
１３２      天壁部
１３３      右側壁部
１３４      左側壁部
１３５      背壁部
１３６      底壁部
１３７      傾斜壁部
１３７ａ    段形状壁部
１３７ｂ    凹曲形状壁部
１３７ｃ    凸曲形状壁部
１３７ｄ    部分傾斜壁部
１４０      ガイド溝形成部
ＧＤ        ガイド溝
Ｐｂ        底面
Ｐｆ        前面
Ｐｉ        傾斜面（第１面）
Ｐｒ        背面
Ｐｓｌ      左側面
Ｐｓｒ      右側面
Ｐｔ        天面
【図１】
0003159998.tif 000003
【図２】
0003159998.tif 000004
【図３】
0003159998.tif 000005
【図４】
0003159998.tif 000006
【図５】
0003159998.tif 000007
【図６】
0003159998.tif 000008
【図７】
0003159998.tif 000009
【図８】
0003159998.tif 000010
【図９】
0003159998.tif 000011
【図１０】
0003159998.tif 000012
【図１１】
0003159998.tif 000013
【図１２】
0003159998.tif 000014
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
ハードディスク本体と、
前記ハードディスク本体を情報機器に接続するために配設されるコネクタと、
前記コネクタの一部を露出するための開口を前面に有し、前記ハードディスク本体および前記コネクタを収容する外装ケースと
を備え、
前記外装ケースは、天面の幅方向に沿った前面側の辺の少なくとも両端部から前記前面に向かうに従って底面に近づき、前記前面の上辺まで延びる第１面を有する
カートリッジ型リムーバブルハードディスク装置。
【請求項２】
前記第１面は、前記天面の幅方向に沿った前記前面側の辺から前記前面に向かうに従って底面に向かって傾斜する傾斜面である
請求項１に記載のカートリッジ型リムーバブルハードディスク装置。